(57)【要約】【課題】効率よく膜を洗浄することができる、膜処理装置の膜洗浄方法を提供すること。【解決手段】膜処理装置における膜洗浄方法であって、糖分解酵素、タンパク質分解酵素及びＮ−アシル−Ｌ−ホモセリンラクトン分解酵素からなる群より選択される少なくとも一種の分解酵素が内包されたベシクルを被処理水に添加する工程と、ベシクルを膜表面に形成されたバイオフィルムに接触させる工程と、ベシクルの内水相から分解酵素を放出する工程と、を含む、膜洗浄方法。【選択図】図１
2015150485.tif 000002
【特許請求の範囲】
【請求項１】
膜処理装置における膜洗浄方法であって、
糖分解酵素、タンパク質分解酵素及びＮ−アシル−Ｌ−ホモセリンラクトン分解酵素からなる群より選択される少なくとも一種の分解酵素が内包されたベシクルを被処理水に添加する工程と、
前記ベシクルを膜表面に形成されたバイオフィルムに接触させる工程と、
前記ベシクルの内水相から前記分解酵素を放出する工程と、を含む、膜洗浄方法。
【請求項２】
前記膜処理装置が、ＭＢＲ（Ｍｅｍｂｒａｎｅ  Ｂｉｏ  Ｒｅａｃｔｏｒ）である、請求項１に記載の膜洗浄方法。
【請求項３】
糖分解酵素、タンパク質分解酵素及びＮ−アシル−Ｌ−ホモセリンラクトン分解酵素からなる群より選択される少なくとも一種の分解酵素が内包されたベシクルを有効成分とする膜処理装置用膜洗浄剤。
【請求項４】
前記膜処理装置が、ＭＢＲ（Ｍｅｍｂｒａｎｅ  Ｂｉｏ  Ｒｅａｃｔｏｒ）である、請求項３に記載の膜洗浄剤。
【請求項５】
糖分解酵素、タンパク質分解酵素及びＮ−アシル−Ｌ−ホモセリンラクトン分解酵素からなる群より選択される少なくとも一種の分解酵素が内包されたベシクルを膜近傍に供給する供給手段を備える膜処理装置。
【請求項６】
前記膜処理装置が、ＭＢＲ（Ｍｅｍｂｒａｎｅ  Ｂｉｏ  Ｒｅａｃｔｏｒ）である、請求項５に記載の膜処理装置。
【発明の詳細な説明】
【技術分野】
【０００１】
本発明は、膜洗浄方法、膜洗浄剤及び膜処理装置に関する。
【背景技術】
【０００２】
近年、排水処理において、ＭＢＲ（Ｍｅｍｂｒａｎｅ  Ｂｉｏ  Ｒｅａｃｔｏｒ）が非常に着目されている。ＭＢＲとは、従来の排水処理で一般的に使われている標準活性汚泥法と、膜処理技術を組み合わせたものである。この２つを組み合わせることによって、処理水が清澄になる、最終沈殿池が不要になるため装置全体がコンパクトになる等のメリットが得られる。一方、ＭＢＲでは、運転時間の経過に伴い、汚泥が膜に付着してバイオフィルムが形成され、膜が目詰まりしてろ過性能が低下する。
【０００３】
膜の目詰まりを軽減する方法として、例えば、特許文献１には、汚泥と処理水の固液分離を行う膜の目詰まり軽減方法であって、タンパク質分解酵素を分泌する微生物を前記汚泥中で維持する工程を含む、方法が開示されている。また、特許文献２には、汚泥と処理水の固液分離を行う膜の目詰まり軽減方法であって、糖分解酵素を分泌する微生物を前記汚泥中で維持する工程を含む、方法が開示されている。
【先行技術文献】
【特許文献】
【０００４】
【特許文献１】特開２０１３−５２３６２号公報
【特許文献２】特開２０１３−５２３６３号公報
【発明の概要】
【発明が解決しようとする課題】
【０００５】
しかしながら、膜の洗浄効率は、未だ改良の余地がある。
【０００６】
そこで、本発明は、効率よく膜を洗浄することができる、膜処理装置の膜洗浄方法を提供することを目的とする。
【課題を解決するための手段】
【０００７】
本発明は、膜処理装置における膜洗浄方法であって、糖分解酵素、タンパク質分解酵素及びＮ−アシル−Ｌ−ホモセリンラクトン分解酵素からなる群より選択される少なくとも一種の分解酵素が内包されたベシクルを被処理水に添加する工程と、上記ベシクルを膜表面に形成されたバイオフィルムに接触させる工程と、上記ベシクルの内水相から上記分解酵素を放出する工程と、を含む、膜洗浄方法に関する。
【０００８】
本発明の膜洗浄方法によれば、ベシクルから放出された糖分解酵素又はタンパク質分解酵素が、膜表面に形成されたバイオフィルムの分解を促進し、バイオフィルムが除去される。また、Ｎ−アシル−Ｌ−ホモセリンラクトン分解酵素は、微生物によるバイオフィルム形成を阻害する効果を奏する。本発明の洗浄方法では、ベシクルが被処理水に容易に分散することができることから、膜表面における被処理水の水流（例えば、クロスフロー、濾過吸引による水流）に乗って効率よく膜面に集まることができ、膜表面のバイオフィルムに効果的に作用することができる。また、膜表面の滞在時間が長くなるため、バイオフィルム中の微生物による作用を強く受け、分解酵素が放出されやすくなるという利点も有する。
【０００９】
上記膜洗浄方法において、膜処理装置は、ＭＢＲであってもよい。ＭＢＲは膜の目詰まりを軽減するための洗浄に必要な動力が高く、ランニングコストが大きいが、上記膜洗浄方法を適用することにより、膜の洗浄に必要な動力を削減でき、ランニングコストを低減できる。
【００１０】
本発明はまた、糖分解酵素、タンパク質分解酵素及びＮ−アシル−Ｌ−ホモセリンラクトン分解酵素からなる群より選択される少なくとも一種の分解酵素が内包されたベシクルを有効成分とする膜処理装置用膜洗浄剤に関する。上記膜洗浄剤は、上記ベシクルを有効成分としているため、効率よく膜を洗浄することができる。
【００１１】
上記膜洗浄剤は、ＭＢＲ用であってもよい。ＭＢＲは膜の目詰まりを軽減するための洗浄に必要な動力が高く、ランニングコストが大きいが、上記膜洗浄剤を適用することにより、膜の洗浄に必要な動力を削減でき、ランニングコストを低減できる。
【００１２】
本発明は更に、糖分解酵素、タンパク質分解酵素及びＮ−アシル−Ｌ−ホモセリンラクトン分解酵素からなる群より選択される少なくとも一種の分解酵素が内包されたベシクルを膜近傍に供給する供給手段を備える膜処理装置に関する。上記膜処理装置は、上記供給手段を備えているため、運転しながら膜を洗浄することができる。
【００１３】
上記膜処理装置は、ＭＢＲであってもよい。ＭＢＲは膜の目詰まりを軽減するための洗浄に必要な動力が高く、ランニングコストが大きいが、上記供給手段を備えることによって、膜の洗浄に必要な動力を削減でき、ランニングコストを低減できる。
【発明の効果】
【００１４】
本発明によれば、効率よく膜洗浄することのできる、膜処理装置の膜洗浄方法の提供が可能となる。
【図面の簡単な説明】
【００１５】
【図１】分解酵素を内包したベシクルを示す模式断面図である。
【図２】ＭＢＲ（Ｍｅｍｂｒａｎｅ  Ｂｉｏ  Ｒｅａｃｔｏｒ）の構造を説明する概略図である。
【発明を実施するための形態】
【００１６】
以下、本発明を実施するための形態について詳細に説明する。ただし、本発明は以下の実施形態に限定されるものではない。
【００１７】
〔ベシクル〕
ベシクルとは、リン脂質等の脂質二重膜で形成された小胞であり、小胞の内側表面と外側表面が親水性を示し、脂質二重膜の内部が疎水性を示す。脂質二重膜は、他の構成成分として、糖、タンパク質等を含むこともある。
【００１８】
図１は、分解酵素を内包したベシクルを示す模式断面図である。ベシクル１０は、親水性基１１と疎水性基１２とを有する脂質二重膜からなる。ベシクル１０の内水相には、分解酵素１３が内包されている。ベシクル１０には、分解酵素１３そのものが内包されている場合と、分解酵素１３を分泌する微生物（図示せず）が内包されている場合がある。
【００１９】
ベシクルとしては、電荷を帯びていないベシクル、電荷を帯びているベシクルを挙げることができる。電荷を帯びているベシクルとしては、カチオン性ベシクル、アニオン性ベシクルを挙げることができる。
【００２０】
カチオン性のベシクルは、カチオン性脂質、カチオン性多糖類等を脂質二重層の構成要素として含ませることで得ることができる。同様に、アニオン性のベシクルは、アニオン性脂質、アニオン性多糖類等を脂質二重層の構成要素として含ませることで得ることができる。
【００２１】
カチオン性脂質として、例えば、第一級アミン、第二級アミン、第三級アミン又は第四級アンモニウムカチオンが結合した脂質を挙げることができる。カチオン性脂質のより具体的な例として、例えば、Ｎ，Ｎ−ジオレイル−Ｎ，Ｎ−ジメチルアンモニウムクロリド（ＤＯＤＡＣ）、Ｎ−［１−（２，３−ジオレイルオキシ）プロピル］−Ｎ，Ｎ，Ｎ−トリメチルアンモニウムクロリド（ＤＯＴＭＡ）、ジメチルジオクタデシルアンモニウムブロミド（ＤＤＡＢ）、Ｎ−［１−（２，３−ジオレイルオキシ）プロピル］−Ｎ，Ｎ，Ｎ−トリメチルアンモニウム硫酸メチル（ＤＯＴＡＰ）、３β−［Ｎ−（Ｎ’，Ｎ’−ジメチルアミノエタン）−カルバモイル］コレステロール（ＤＣ−Ｃｈｏｌ）、（１，２−ジミリスチルオキシプロピル−３−ジメチルヒドロキシエチルアンモニウムブロミド（ＤＭＲＩＥ）、ジオクタデシルアミドグリシルスペルミン（ＤＯＧＳ）、Ｎ，Ｎ−ジメチル−（２，３−ジオレイルオキシ）プロピルアミン（ＤＯＤＭＡ）、１，２−ジオレイル−３−ジメチルアンモニウムプロパン（ＤＯＤＡＰ）、ステアリルアミン等が挙げられる。カチオン性多糖類のより具体的な例として、例えば、キトサン等が挙げられる。
【００２２】
アニオン性脂質として、例えば、ステアリン酸、オレイン酸、パルミチン酸等の脂肪酸、ドデシル硫酸、ヘキサデシル硫酸等のアルキル硫酸を挙げることができる。アニオン性多糖類として、例えば、カラギーナン、デキストラン硫酸等を挙げることができる。
【００２３】
ベシクルは、微生物が分泌するベシクル、化学的に合成したベシクルのいずれであっても本発明に好適に用いることができる。また、ベシクルは、複数の層構造を有する場合がある。
【００２４】
ベシクルとしては、リポソームが好ましい。リポソームは、リン脂質を主成分とする脂質二重膜で形成される小胞である。リン脂質は、構造中にリン酸エステル部位を有する脂質である。リン脂質は、例えば、グリセリン又はスフィンゴシンを中心骨格として脂肪酸及びリン酸が結合し、更にリン酸にアルコール（例えば、コリン、エタノールアミン、イノシトール、セリン等）がエステル結合した構造を有するものである。リン脂質としては、天然由来のリン脂質、合成されたリン脂質を挙げることができる。
【００２５】
リン脂質として、これに限定されるものではないが、例えば、ホスファチジルコリン、スフィンゴミエリン、ホスファチジルエタノールアミン、ホスファチジルセリン、卵黄レシチン、水素添加大豆ホスファチジルコリン等を挙げることができる。
【００２６】
リン脂質のより具体的な例として、例えば、１，２−ジデカノイルホスファチジルコリン（ＤＤＰＣ）、１−ステアロイル−２−オレオイルホスファチジルコリン（ＳＯＰＣ）、１，２−ジミリストイルホスファチジルコリン（ＤＭＰＣ）、１−パルミトイル−２−ミリストイルホスファチジルコリン（ＰＭＰＣ）、１−ミリストイル−２−パルミトイルホスファチジルコリン（ＭＰＰＣ）、１，２−ジパルミトイルホスファチジルコリン（ＤＰＰＣ）、水素添加大豆ホスファチジルコリン（ＨＳＰＣ）、卵黄ホスファチジルコリン（ＥＰＣ）、スフィンゴミエリン卵黄由来（ＥＧＧ−ＳＰＭ）、スフィンゴミエリン牛乳由来（ＭＩＬＫ−ＳＰＭ）、１，２−ジオレオイルホスファチジルエタノールアミン（ＤＯＰＥ）、１，２−ジパルミトイルホスファチジルエタノールアミン（ＤＰＰＥ）、１，２−ジオレオイルホスファチジルセリン（ＤＯＰＳ）、１，２−ジパルミトイルホスファチジルセリン（ＤＰＰＳ）を挙げることができる。
【００２７】
リポソームは、電荷を帯びていないリポソーム、電荷を帯びているリポソームを挙げることができる。電荷を帯びているリポソームとしては、カチオン性リポソーム、アニオン性リポソームを挙げることができる。
【００２８】
カチオン性リポソームは、リポソームにカチオン性脂質、カチオン性多糖類等を脂質二重層の構成要素として含ませることで得ることができる。カチオン性リポソームとして、例えば、遺伝子導入ベクターとして用いられているものを利用することもできる。
【００２９】
アニオン性リポソームは、リポソームにアニオン性脂質、アニオン性多糖類等を脂質二重層の構成要素として含ませることで得ることができる。
【００３０】
分解酵素を内包したベシクルは、公知の方法で作製することができる。例えば、リン脂質等のベシクルの構成要素をクロロホルム等の有機溶媒に溶解する。続いて、有機溶媒を留去し脂質薄膜を得る。そこに分解酵素を溶解した精製水又は緩衝液を加えて、超音波処理又はボルテックスミキサーを用いて水和分散させる。続いて、凍結融解を数回繰り返すことで、分解酵素を内包したベシクルを作製することができる。脂質薄膜に精製水又は緩衝液を加えて、リン脂質等の相転移温度以上の温度となるように加温することで、ベシクルを作製することもできる。また、逆相蒸発法、エタノール注入法、エーテル蒸発法等を利用することもできる。ベシクルとしてリポソームを用いる場合も同様に作製することができる。
【００３１】
〔分解酵素〕
本実施形態に係る分解酵素は、糖分解酵素、タンパク質分解酵素及びＮ−アシル−Ｌ−ホモセリンラクトン分解酵素からなる群より選択される少なくとも一種である。
【００３２】
糖分解酵素としては、糖を低分子化するものであれば特に制限されず、ガラクトシダーゼ、アミラーゼ、セルラーゼ、グルカナーゼ、グリコペプチダーゼ、エンドグリコシダーゼ、マンノシダーゼ、フコシダーゼ、アセチルヘキソサミニダーゼ、アラビノシダーゼ、ラムノシダーゼ、キシラナーゼ等が例示できる。糖分解酵素を分泌する微生物としては、これらのいずれかの酵素を分泌するものが使用できる。より具体的には、アルカリゲネス属、アルテロモナス属、バチルス属、マイクロコッカス属、アルスロバクター属、プラノコッカス属、アゾリカ属、アキシネラ属、サルガッスム属、アラクニオタス属、アスペルギルス属、オルピノマイセス属、サーモマイセス属、フラボバクテリウム属、シュードモナス属等に属する微生物が使用可能である。
【００３３】
タンパク質分解酵素としては、タンパク質を低分子化するものであれば特に制限されず、プロテアーゼやペプチダーゼが例示できる。タンパク質分解酵素を分泌する微生物としては、プロテアーゼやペプチダーゼを分泌するものが使用できる。より具体的には、アルカリゲネス属、アルテロモナス属、バチルス属、コリネバクテリウム属、フラボバクテリウム属、マイクロコッカス属、ビブリオ属、アスペルギルス属、ストレプトマイセス属、リゾプス属、ブレビバチルス属、シュードモナス属、シェワネラ属、シュードアルテロモナス属、アエロモナス属、セラチア属、エグジゴバクテリウム属、コプロサーモバクター属等に属する微生物が使用可能である。
【００３４】
Ｎ−アシル−Ｌ−ホモセリンラクトンには、例えば、Ｎ−ブタノイル−Ｌ−ホモセリンラクトン、Ｎ−３−オキソブタノイル−Ｌ−ホモセリンラクトン、Ｎ−３−ヒドロキシブタノイル−Ｌ−ホモセリンラクトン、Ｎ−ペンタノイル−Ｌ−ホモセリンラクトン、Ｎ−３−オキソペンタノイル−Ｌ−ホモセリンラクトン、Ｎ−３−ヒドロキシペンタノイル−Ｌ−ホモセリンラクトン、Ｎ−ヘキサノイル−Ｌ−ホモセリンラクトン、Ｎ−３−オキソヘキサノイル−Ｌ−ホモセリンラクトン、Ｎ−３−ヒドロキシヘキサノイル−Ｌ−ホモセリンラクトン、Ｎ−ヘプタノイル−Ｌ−ホモセリンラクトン、Ｎ−３−オキソヘプタノイル−Ｌ−ホモセリンラクトン、Ｎ−３−ヒドロキシヘプタノイル−Ｌ−ホモセリンラクトン、Ｎ−オクタノイル−Ｌ−ホモセリンラクトン、Ｎ−３−オキソオクタノイル−Ｌ−ホモセリンラクトン、Ｎ−３−ヒドロキシオクタノイル−Ｌ−ホモセリンラクトン、Ｎ−ノナノイル−Ｌ−ホモセリンラクトン、Ｎ−３−オキソノナノイル−Ｌ−ホモセリンラクトン、Ｎ−３−ヒドロキシノナノイル−Ｌ−ホモセリンラクトン、Ｎ−デカノイル−Ｌ−ホモセリンラクトン、Ｎ−３−オキソデカノイル−Ｌ−ホモセリンラクトン、Ｎ−３−ヒドロキシデカノイル−Ｌ−ホモセリンラクトン、Ｎ−ウンデカノイル−Ｌ−ホモセリンラクトン、Ｎ−３−オキソウンデカノイル−Ｌ−ホモセリンラクトン、Ｎ−３−ヒドロキシウンデカノイル−Ｌ−ホモセリンラクトン、Ｎ−ドデカノイル−Ｌ−ホモセリンラクトン、Ｎ−３−オキソドデカノイル−Ｌ−ホモセリンラクトン、Ｎ−３−ヒドロキシドデカノイル−Ｌ−ホモセリンラクトン、Ｎ−トリデカノイル−Ｌ−ホモセリンラクトン、Ｎ−３−オキソトリデカノイル−Ｌ−ホモセリンラクトン、Ｎ−３−ヒドロキシトリデカノイル−Ｌ−ホモセリンラクトン、Ｎ−テトラデカノイル−Ｌ−ホモセリンラクトン、Ｎ−３−オキソテトラデカノイル−Ｌ−ホモセリンラクトン、Ｎ−３−ヒドロキシテトラデカノイル−Ｌ−ホモセリンラクトン、Ｎ−ペンタデカノイル−Ｌ−ホモセリンラクトン、Ｎ−３−オキソペンタデカノイル−Ｌ−ホモセリンラクトン、Ｎ−３−ヒドロキシペンタデカノイル−Ｌ−ホモセリンラクトン、Ｎ−ヘキサデカノイル−Ｌ−ホモセリンラクトン、Ｎ−３−オキソヘキサデカノイル−Ｌ−ホモセリンラクトン、Ｎ−３−ヒドロキシヘキサデカノイル−Ｌ−ホモセリンラクトン等のアシル基の炭素数が４〜１６であるＮ−アシル−Ｌ−ホモセリンラクトンが含まれる。
【００３５】
Ｎ−アシル−Ｌ−ホモセリンラクトン分解酵素としては、Ｎ−アシル−Ｌ−ホモセリンラクトンの構造を変換するもの、又はＮ−アシル−Ｌ−ホモセリンラクトンを低分子化するものであれば特に制限されず、ラクトナーゼ、アシラーゼを例示できる。Ｎ−アシル−Ｌ−ホモセリンラクトン分解酵素を分泌する微生物としては、これらのいずれかの酵素を分泌するものが使用できる。より具体的には、アスペルギルス属、アシネトバクター属、エルウニア属、シェバネラ属、シュードモナス属、バークホルデリア属、ペニシリウム属、マイクロバクテリウム属及びラルストニア属等に属する微生物が使用可能である。
【００３６】
上述した分解酵素又は微生物は、１種単独で用いることもできるし、２種以上を組み合わせて用いることもできる。
【００３７】
〔膜処理装置用膜洗浄剤〕
本実施形態に係る膜処理装置用膜洗浄剤は、上述した分解酵素の少なくとも一種が内包された上述のベシクルを有効成分として含む。膜処理装置用膜洗浄剤は、分解酵素が内包されたベシクルのみからなる場合と、当該ベシクル以外の成分を含む場合がある。当該ベシクル以外の成分としては、例えば、水、アルコール等の担体を挙げることができる。
【００３８】
〔膜処理装置〕
本実施形態に係る膜処理装置は、上述した分解酵素の少なくとも一種が内包された上述のベシクルを膜近傍に供給する供給手段を備える。
【００３９】
膜処理装置とは、膜処理プロセス用の分離膜を備える装置である。膜処理プロセスとしては、例えば、海水淡水化、純水製造、硬水の軟水化、トリハロメタンの除去、上水又は工業用水の製造、膜分離活性汚泥（ＭＢＲ）法を含めた排水処理を挙げることができる。膜処理装置としては、例えば、ＭＢＲ、ＲＯ膜海水淡水化装置、純水製造装置等を挙げることができる。膜処理装置としては、ＭＢＲが好ましい。
【００４０】
ＭＢＲとは、従来の排水処理で一般的に使われている標準活性汚泥法と、膜処理技術を組み合わせたものである。
【００４１】
ＭＢＲには、槽外型及び浸漬型が存在する。図２ａは槽外型ＭＢＲの概略図である。槽外型ＭＢＲ１００では、汚泥を含む生物反応槽１１０の外に膜１２０が設置される。ラインＬ１１０を通して汚泥が膜１２０に供給される。膜１２０において、汚泥と処理水が分離される。処理水はラインＬ１２０を通して取り出され、汚泥はラインＬ１３０を通して生物反応槽１１０に返送される。本実施形態に係る膜処理装置は、例えば、ラインＬ１１０にライン（図示せず）を介して連結された供給手段（図示せず）を備えるものであってよい。供給手段は、ライン（図示せず）を介して直接膜１２０に連結されていてもよい。これにより膜近傍にベシクルを供給することができるため、膜の洗浄効率がより優れる。
【００４２】
浸漬型ＭＢＲとは、汚泥を含む生物反応槽に膜を浸漬して、汚泥と処理水を分離する方式である。浸漬型には、さらに一体型と槽別置型が存在する。図２ｂは浸漬型ＭＢＲ（一体型）２００の概略図である。浸漬型ＭＢＲ（一体型）２００では、汚泥を含む生物反応槽２１０内に膜２２０が設置される。膜２２０において、汚泥と処理水が分離され、処理水はラインＬ２２０を通して取り出される。本実施形態に係る膜処理装置は、例えば、生物反応槽２１０にライン（図示せず）を介して連結された供給手段（図示せず）を備えるものであってよい。供給手段は、ライン（図示せず）を介して直接膜２２０に連結されていてもよい。これにより膜近傍にベシクルを供給することができるため、膜の洗浄効率がより優れる。
【００４３】
浸漬型ＭＢＲ（槽別置型）とは、汚泥を含む生物反応槽と膜を設置する膜分離槽とが分離した方式である。図２ｃは浸漬型ＭＢＲ（槽別置型）３００の概略図である。浸漬型ＭＢＲ（槽別置型）３００では、汚泥を含む生物反応槽３１０と、膜３２０が設置された膜分離槽３３０とが分離している。生物反応槽３１０からラインＬ３１０を通して汚泥が膜分離槽３３０に供給される。膜３２０において、汚泥と処理水が分離される。処理水はラインＬ３２０を通して取り出され、汚泥はラインＬ３３０を通して生物反応槽３１０に返送される。本実施形態に係る膜処理装置は、例えば、ラインＬ３１０又は膜分離槽３３０にライン（図示せず）を介して連結された供給手段（図示せず）を備えるものであってよい。供給手段は、ライン（図示せず）を介して直接膜３２０に連結されていてもよい。これにより膜近傍にベシクルを供給することができるため、膜の洗浄効率がより優れる。
【００４４】
膜としては、例えば、逆浸透膜（ＲＯ膜、ＮＦ膜）、限外ろ過膜（ＵＦ膜）及び精密ろ過膜（ＭＦ膜）を挙げることができる。
【００４５】
膜の素材は、特に制限されるものではないが、例えば、ポリエチレン、ポリプロピレン、塩素化ポリエチレン等のポリオレフィン系樹脂、ポリフッ化ビニリデン系樹脂、ポリテトラフルオロエチレン、ポリスチレン、ポリカーボネート、ポリアクリロニトリル、酢酸セルロース、芳香族ポリアミド、ポリスルホン、ポリエーテルスルホン及びセラミック等並びにこれらの組み合わせが挙げられる。
【００４６】
膜の形態は、特に制限されるものではないが、平膜、中空糸膜、管状膜（チューブラー膜）、スパイラル膜等が挙げられる。
【００４７】
〔膜洗浄方法〕
一実施形態では、上述した分解酵素の少なくとも一種が内包された上述のベシクル（又は膜処理装置用膜洗浄剤）を被処理水に供給することによって、濾過吸引等による水流により膜表面に形成されたバイオフィルムに接触させることができる。バイオフィルムに接触したベシクルの内水相から分解酵素を放出することでバイオフィルムの分解等が生じ膜を洗浄することができる。分解酵素の放出は、バイオフィルム中の微生物との相互作用、又は膜近傍をベシクルの相転移温度以上に昇温することでベシクルを相転移させることで行うことができる。この方法によれば、膜処理を行いながら膜を洗浄することができるため、膜の寿命が延び水処理の効率が向上する。膜の目詰まり防止のために、膜を曝気すること等の物理的洗浄と組み合わせてもよい。
【００４８】
なお、バイオフィルムとは、微生物により形成される構造体であり、基質（例えば、膜等）に付着した微生物が、細胞外多糖（ＥＰＳ；Ｅｘｔｒａｃｅｌｌｕｌａｒ  Ｐｏｌｙｓａｃｃｈａｒｉｄｅｓ）と呼ばれる分泌物を分泌することにより形成される。バイオフィルムは、微生物の他、タンパク質、糖等も含む。膜処理装置では、例えば、膜表面における被処理水の水流（例えば、クロスフロー、濾過吸引による水流）により膜の表面に微生物が付着し易いため、バイオフィルムが形成され易い。また、ＭＢＲの場合、汚泥が膜の表面に付着してバイオフィルムが形成される。
【００４９】
上述のベシクル（又は膜処理装置用膜洗浄剤）の供給は、膜の洗浄効率が向上するため、膜により近いところで行うことが好ましい。槽外型ＭＢＲ１００では、例えば、ラインＬ１１０に別のライン（図示せず）を介して供給してもよい。浸漬型ＭＢＲ（一体型）２００では、例えば、生物反応槽２１０に別のライン（図示せず）を介して供給してもよい。浸漬型ＭＢＲ（槽別置型）３００では、例えば、ラインＬ３１０に別のライン（図示せず）を介して供給してもよいし、膜分離槽３３０に別のライン（図示せず）を介して供給してもよい。
【００５０】
上記方法は、余剰の上述のベシクル（又は膜処理装置用膜洗浄剤）を回収する工程を備えていてもよい。これによりベシクルを再利用することもできる。ベシクルの回収は、膜を透過させ、透過したベシクルを、例えば、分離槽において、自然沈降、凝集沈降、活性炭吸着等で回収することができる。ベシクルを膜を透過させる方法として、例えば、相転移温度が被処理水の温度以下のベシクルの場合、濾過吸引により膜を透過させることができ、相転移温度が被処理水の温度以上のベシクルの場合、膜近傍を相転移温度以上に昇温することで相転移を促し、膜を透過させることができる。ベシクルの相転移温度は、当業者に公知であるが、例えば、以下の例示ができる。なお、複数の脂質を用いる場合、各脂質の相転移温度に各脂質の重量割合（脂質総量に対する割合）を掛けた値を足し合わせたものがベシクルの相転移温度になる。
【表１】
2015150485.tif 000003
【００５１】
他の実施形態では、膜処理装置から膜を取り出した後、上述した分解酵素の少なくとも一種が内包された上述のベシクル（又は膜処理装置用膜洗浄剤）を膜表面に形成されたバイオフィルムに接触させてもよい。これにより膜の洗浄のみを実施することができるため、例えば、超音波処理等の操作と組み合わせることができる。上述した分解酵素の少なくとも一種が内包された上述のベシクル（又は膜処理装置用膜洗浄剤）を添加した被処理水の入った洗浄槽に膜処理装置から取り出した膜を浸漬することができる。
【符号の説明】
【００５２】
１０…ベシクル、１１…親水性基、１２…疎水性基、１３…分解酵素、１００…槽外型ＭＢＲ、１１０，２１０，３１０…生物反応槽、１２０，２２０，３２０…膜、Ｌ１１０，Ｌ１２０，Ｌ１３０，Ｌ２２０，Ｌ３１０，Ｌ３２０，Ｌ３３０…ライン、２００…浸漬型ＭＢＲ（一体型）、３００…浸漬型ＭＢＲ（槽別置型）、３３０…膜分離槽。
【図２】
2015150485.tif 000004
【図１】
2015150485.tif 000005